(57)【要約】【課題】    眉書するための位置で確実かつ容易に支持することができる眉書定規を提供する。【解決手段】一面が顔面に面するよう配置され、眉を描くべき線である目標線に一致する縁部である目標線縁部を有する板状の眉書定規であって、描くべき眉の直下に存する目である対象目よりも下側の顔面部分に当接する該一面に形成された下部当接部と、目標線縁部と、を備えてなる、眉書定規である。対象目を少なくとも覆う透明な目覆い部をさらに備えてなるものでもよく、そして前記一面が顔面に面するよう配置されて正面から観察する正面観察状態において、前記顔面の所定位置と前記眉書定規との相対的位置関係を調節するための位置標識を有するものであってもよい。【選択図】  図１
0003148067.tif 000002
【実用新案登録請求の範囲】
【請求項１】
一面が顔面に面するよう配置され、眉を描くべき線である目標線に一致する縁部である目標線縁部を有する板状の眉書定規であって、
描くべき眉の直下に存する目である対象目よりも下側の顔面部分に当接する該一面に形成された下部当接部と、
目標線縁部と、
を備えてなる、眉書定規。
【請求項２】
対象目を少なくとも覆う透明な目覆い部をさらに備えてなる、請求項１に記載の眉書定規。
【請求項３】
前記一面が顔面に面するよう配置されて正面から観察する正面観察状態において、前記顔面の所定位置と前記眉書定規との相対的位置関係を調節するための位置標識を有するものである、請求項１又は２に記載の眉書定規。
【請求項４】
前記位置標識が、目標線縁部に沿った寸法を略３等分する上下方向に伸びる平行な２の直線である目尻側直線及び目頭側直線の少なくともいずれかに存する点又は線分を含むものである、請求項３に記載の眉書定規。
【請求項５】
前記正面観察状態において、目尻側直線が対象目の目尻側の白目部分を通過するものである、請求項４に記載の眉書定規。
【請求項６】
目尻側直線と目標線縁部との交点が目標線縁部の最高位置に略存するものである、請求項４又は５に記載の眉書定規。
【請求項７】
前記顔面の所定位置が、対象目の所定位置と、前記顔面に存する鼻の所定位置と、の両方を含むものである、請求項３乃至６のいずれか１に記載の眉書定規。
【請求項８】
前記位置標識が、前記正面観察状態において対象目の前記所定位置である目尻近傍を通過すると共に、鼻の前記所定位置である小鼻部分に一端が向く線分に沿った線状標識である、請求項７に記載の眉書定規。
【請求項９】
対象目よりも上側の顔面部分に当接する前記一面に形成された上部当接部をさらに備えるものである、請求項１乃至８のいずれか１に記載の眉書定規。
【請求項１０】
下部当接部と上部当接部との間の前記一面が対象目から遠ざかる方向に凹部を形成しているものである、請求項９に記載の眉書定規。
【請求項１１】
前記目標線縁部が上部当接部を構成する外縁である、請求項１０に記載の眉書定規。
【請求項１２】
前記一面が顔面に面するよう配置された際、前記顔面に存する鼻を避けるように切り欠きが設けられているものである、請求項１乃至１１のいずれか１に記載の眉書定規。
【請求項１３】
対象目が右目である右眉用の請求項１乃至１２のいずれか１に記載の眉書定規と、対象目が左目である左眉用の請求項１乃至１２のいずれか１に記載の眉書定規と、が一体となった両眉用定規。
【請求項１４】
右眉用の眉書定規が備える下部当接部と、左眉用の眉書定規が備える下部当接部と、が共通の部分として形成されたものである、請求項１３に記載の両眉用定規。
【考案の詳細な説明】
【技術分野】
【０００１】
本考案は、眉書定規に関し、より詳細には、一面が顔面に面するよう配置され、眉を描くべき線である目標線に一致する縁部である目標線縁部を有する板状の眉書定規に関する。
【背景技術】
【０００２】
眉毛は、人の顔面において左右の目それぞれの上部に一対備わっているが、眉毛の形状、太さ、長さ及び濃さ等（以下、「形状等」という。）によって顔面から受ける印象が変化したり、時代によって流行の眉毛の形状等が変わることもある。このため眉毛の形状等を各自好みのものにすべく、自分の自然に生えた眉毛（以下、「天然眉毛」ということもある。）の上から皮膚に眉を描いたり、天然眉毛の一部又は全部を除去（例えば、剃毛や抜毛）した後に皮膚に眉を描くことが行われている。
ところが眉はその形状等の少しの違いで顔面の印象を大きく異ならせるものであるので、いつも所望通りの形状等になるように眉を描くことは難しい場合があり、このため眉を描く際に高度の緊張を強いられたり、何度も書き直しや修正等を余儀なくさせられたり、さらには結局自分の好みの眉の形状にならないという問題もあった。これに鑑み、所望形状等の眉を容易かつ的確に描くことでかかる問題を解決するため、描くべき眉の形状に合った眉書定規（眉を描くべき線である目標線に一致する縁部である目標線縁部を有し、この目標線縁部に沿って、眉を描くための筆又はペン等を移動させ眉を描くための器具である。）が種々提案されてきた（例えば、特許文献１参照）。
【０００３】
特許文献１には、「化粧の際に、眉の脱毛や眉書に使用することができる眉テンプレートを提供することを目的」（特許文献１、考案の詳細な説明中の段落番号０００５）としたものであり、具体的には「開口部を有するテンプレートであり、前記開口部の形状は、ラインまたはラインの一部を組み合わせて眉の外形形状を形成することが可能な複数のラインに分割し、前記分割した複数の分割ラインを連続して接続し、前記接続した分割ラインによって形成したことを特徴とする眉テンプレート」（特許文献１、請求項１）が開示されており、これによって「テンプレートの開口部の形状が、ラインまたはラインの一部を組み合わせて眉の外形形状を形成することが可能な複数のラインに分割し、この分割した複数の分割ラインを連続して接続し、この接続した分割ラインによって形成しており、化粧の際に、眉の脱毛や眉書に使用することができ、しかも好みによって眉形状を変えることができる。」（特許文献１、考案の詳細な説明中の段落番号００１２）という効果を奏する。
【０００４】
詳述すれば、特許文献１に開示された考案（眉テンプレート）は、「眉書の際には、図３に示すように、テンプレート２を裏側にして、眉書しない眉Ｂを覆うように分割ライン３ａの一部を眉Ｂの外形に合わせる。したがって、テンプレート２の分割ライン３ａの一部から内側の開口部３に位置する眉毛１０に眉墨を付けることができる。このように、眉書の際には、眉書しない眉Ｂを覆うように分割ライン３ａ〜３ｇ、４ａ〜４ｇまたは分割ライン３ａ〜３ｇ、４ａ〜４ｇの一部を眉Ｂの外形形状Ａに合わせて使用することで、容易に、かつ確実に希望する眉Ｂが描かれる。」（特許文献１、考案の詳細な説明中の段落番号００２０）というものであり、これは一面が顔面に面するよう配置され、眉を描くべき線である目標線に一致する縁部である目標線縁部（特許文献１においては分割ライン３ａ〜３ｇ、４ａ〜４ｇ）を有する板状の眉書定規である。
【０００５】
【特許文献１】登録実用新案第３１３１４２１号公報（考案の詳細な説明の段落番号０００１〜０００７、００１２、００１７〜００２１、請求項１、第１図、第３図等）
【考案の開示】
【考案が解決しようとする課題】
【０００６】
上記した特許文献１に開示された考案（眉テンプレート）を用いて眉書するには、小さなテンプレート２を手で把持し目の上の眉の位置で支持しつつ開口部３、４の内部に眉墨を付けることを要するものであり、小さなテンプレート２を手で確実に把持することは難しいことから、眉書する間にテンプレート２が不意に動いたり落下するという問題があった。
そこで、本考案では、眉書するための位置で確実かつ容易に支持することができる眉書定規を提供することを目的とする。
【課題を解決するための手段】
【０００７】
本考案の眉書定規（以下、「本定規」という。）は、一面が顔面に面するよう配置され、眉を描くべき線である目標線に一致する縁部である目標線縁部を有する板状の眉書定規であって、描くべき眉の直下に存する目である対象目よりも下側の顔面部分に当接する該一面に形成された下部当接部と、目標線縁部と、を備えてなる、眉書定規である。
本定規は、一面が顔面に面するよう配置され、眉を描くべき線である目標線に一致する縁部である目標線縁部を有する板状の眉書定規であり、上述した特許文献１に開示された考案（眉テンプレート）と同様に、眉書すべき顔面に本定規の一面が面するように配置され、眉を描くべき線である目標線に一致する縁部である目標線縁部を該顔面の眉を描くべき位置（通常、天然眉毛が生えている位置又はその近傍、天然眉毛が生えていた位置又はその近傍）に位置させ、該目標線縁部に沿って眉を描くための筆又はペン等を移動させることで、眉を描くべき線である目標線に沿った眉を描くことができる。
そして、本定規は、描くべき眉の直下に存する目である対象目（描くべき眉が右眉であれば右目であり、描くべき眉が左眉であれば左目である。）よりも下側の顔面部分に当接する該一面に形成された下部当接部と、目標線縁部と、を備えており、目標線縁部が該顔面の眉を描くべき位置に位置するよう本定規の該一面が顔面に面するよう配置されると、下部当接部が対象目（描くべき眉が右眉であれば右目であり、描くべき眉が左眉であれば左目である。）よりも下側の顔面部分（対象目の下方に存する頬又はその近傍部分）に当接するので、該下側の顔面部分に下部当接部が当接した状態が保たれるよう本定規を支持することで（該下側の顔面部分である頬又はその近傍部分は、その周囲に比して突出しているので、該下側の顔面部分に下部当接部が当接した状態を容易に保つことができる。）、本定規を眉書するための位置で確実かつ容易に支持することができる。
【０００８】
本定規においては、対象目を少なくとも覆う透明な目覆い部をさらに備えてなるものであってもよい。
眉書する眉と、該眉の直下に存する対象目と、の両方が一体となって顔面の印象を形成するものであるため、対象目が見えないと顔面全体の印象を把握しにくく眉書が所望通りうまくできているかどうか確認しにくい。このため本定規の前記一面が顔面に面するよう配置されて正面（該顔面に向き合う方向）から観察する正面観察状態において、眉書する眉と、該眉の直下に存する対象目と、の両方が観察できることが好ましい。正面観察状態において眉書する眉とその直下に存する対象目との両方が観察できるようにするには、（イ）正面観察状態において対象目を本定規が覆わない（例えば、対象目に対応する位置に開口や切り欠きを設ける）ようにする方法や、（ロ）対象目を少なくとも覆う透明な目覆い部を有するようにする方法等が挙げられる。
とりわけ（ロ）対象目を少なくとも覆う透明な目覆い部を有するようにすれば、眉書をする際に対象目に異物（例えば、眉書のための眉墨や、眉書のための筆やペン等）が入ることを防止又は減少させることができる。
【０００９】
本定規においては、前記一面が顔面に面するよう配置されて正面から観察する正面観察状態において、前記顔面の所定位置と前記眉書定規との相対的位置関係を調節するための位置標識を有するもの（以下、「位置標識保有本定規」という。）であってもよい。
本定規は、上述の如く、眉書すべき顔面に本定規の一面が面するように配置され、眉を描くべき線である目標線に一致する縁部である目標線縁部を該顔面の眉を描くべき位置に位置させ該目標線縁部に沿って眉を描くことで該顔面の眉を描くべき位置に眉を描くことができるものであるので、目標線縁部を該顔面の眉を描くべき位置に正確に位置させる必要がある。このため目標線縁部を該顔面の眉を描くべき位置に容易かつ確実に位置させることができるよう、該顔面の所定位置と本定規との相対的位置関係を調節するための位置標識を本定規が有するようにしてもよい。目標線縁部が該顔面の眉を描くべき位置にうまく位置しているかどうかは正面観察状態（例えば、自ら眉書する場合には、正面に置いた鏡によって自分の顔面を映して観察しながら行うことが多い。）においてチェックすることが多いことから、位置標識は、正面観察状態において該顔面の所定位置と本定規との相対的位置関係を調節するものであってもよい。
【００１０】
位置標識保有本定規の場合、前記位置標識が、目標線縁部に沿った寸法を略３等分する上下方向に伸びる平行な２の直線である目尻側直線及び目頭側直線の少なくともいずれかに存する点又は線分を含むもの（以下、「３等分位置標識保有本定規」という。）であってもよい。
目標線縁部に沿った寸法を略３等分する位置は、顔面における本定規の左右方向の相対的位置を判断するのに役立つものであり、このため目標線縁部に沿った寸法を略３等分する上下方向に伸びる平行な２の直線が、顔面のいずれの位置に位置しているかによって顔面における本定規の左右方向の相対的位置が正しいか否かを効果的に判断できる。従って、目標線縁部に沿った寸法を略３等分する上下方向に伸びる平行な２の直線のうち、描くべき眉の直下に存する対象目の目尻側に存する目尻側直線と、対象目の目頭側に存する目頭側直線と、の少なくともいずれか（目尻側直線及び／又は目頭側直線）の上に存する点又は線分を位置標識としてもよい。
なお、上下とは、本定規を用いて眉書する者の頭頂方向を上とし、喉方向を下とする（例えば、本定規を用いて眉書する者が水平な床に真っ直ぐ直立した状態では、鉛直上方向が上であり、鉛直下方向が下である。）。そして、左右とは、本定規を用いて眉書する者から見た左右をいう。
【００１１】
３等分位置標識保有本定規の場合、前記正面観察状態において、目尻側直線が対象目の目尻側の白目部分を通過するものであってもよい。
目標線縁部に沿った寸法を略３等分する上下方向に伸びる平行な２の直線のうち対象目の目尻側に存する目尻側直線は、本定規の前記一面が顔面に面するよう配置されて正面（該顔面に向き合う方向）から観察する前記正面観察状態において対象目の目尻側の白目部分を通過するよう、本定規の前記一面が顔面に面するよう配置されることによって顔面における本定規の左右方向の相対的位置をうまく調整することができる。このため目尻側直線の上に存する点又は線分を位置標識として用いる場合、該点又は該線分が前記正面観察状態において対象目の目尻側の白目部分に存するような位置に形成されるようにしてもよい。
【００１２】
３等分位置標識保有本定規の場合、目尻側直線と目標線縁部との交点が目標線縁部の最高位置に略存するものであってもよい。
目標線縁部に沿った寸法を略３等分する２の位置のうち、描くべき眉の直下に存する対象目の目尻側の位置が目標線縁部の最高位置になるような目標線縁部に沿って眉を描くための筆又はペン等を移動させることで、理想的な形状の眉を描くことができる。このためには目尻側直線と目標線縁部との交点が目標線縁部の最高位置（最上位置）に略存するようにすればよい。
【００１３】
位置標識保有本定規の場合、前記顔面の所定位置が、対象目の所定位置と、前記顔面に存する鼻の所定位置と、の両方を含むもの（以下、「目鼻位置標識保有本定規」という。）であってもよい。
目標線縁部を顔面の眉を描くべき位置に位置させることができるよう、位置標識保有本定規においては、該顔面の所定位置と本定規との相対的位置関係を調節するための位置標識を本定規が有する。この目標線縁部を顔面の眉を描くべき位置に正しく位置させるには、本定規と顔面の所定位置との相対的位置関係をうまく調整する必要があるが、この顔面の所定位置が前記正面観察状態において認識し易い位置である方が本定規と顔面の所定位置との相対的位置関係を確実かつ容易に調整することができる。このため眉を描く際に前記正面観察状態において顔面において認識しやすく特徴的な位置である対象目と鼻とを用いて本定規と顔面との相対的位置関係を調節するようにしてもよく、具体的には、対象目の所定位置と、前記顔面に存する鼻の所定位置と、の両方と本定規との相対的位置関係を調節するための位置標識を本定規が有するようにしてもよい。
【００１４】
目鼻位置標識保有本定規の場合、前記位置標識が、前記正面観察状態において対象目の前記所定位置である目尻近傍を通過すると共に、鼻の前記所定位置である小鼻部分に一端が向く線分に沿った線状標識であってもよい。
眉を描く際に前記正面観察状態において顔面において認識しやすく特徴的な位置である対象目と鼻とを用いる場合、前記正面観察状態において対象目の目尻を通過する線分のうち鼻の小鼻部分（なお、対象目が右目の場合は右側の小鼻であり、対象目が左目の場合は左側の小鼻である。）に一端が向く線分に沿った線状標識を本定規が有するようにすれば、該線状標識が対象目の目尻近傍を通過すると共に小鼻部分に一端が向くように本定規の前記一面が顔面に面するよう配置すれば、顔面における本定規の相対的位置が正しくなるように本定規を顔面に配置することができる。
【００１５】
本定規は、対象目よりも上側の顔面部分に当接する前記一面に形成された上部当接部をさらに備えるもの（以下、「上部当接部具備本定規」という。）であってもよい。
こうすることで下部当接部が対象目よりも下側の顔面部分に当接することに加え、上部当接部が対象目よりも上側の顔面部分に当接するので、対象目を挟んで上下にて本定規が顔面に当接し、これら上下の顔面部分に上部当接部及び下部当接部が当接した状態が保たれるよう本定規を支持することで、本定規を眉書するための位置で一層確実かつ容易に本定規を支持することができる。
【００１６】
上部当接部具備本定規の場合、下部当接部と上部当接部との間の前記一面が対象目から遠ざかる方向に凹部を形成しているもの（以下、「凹部具備本定規」という。）であってもよい。
下部当接部と上部当接部との間の前記一面（顔面に面する面）が対象目に接近すると、対象目やその上のまつげに接触したり邪魔に感じるため、下部当接部と上部当接部との間の前記一面が対象目から遠ざかる方向に凹部（下部当接部と上部当接部とに掛けわたされる平面よりも窪んでいる）を形成するようにしてもよい。
【００１７】
凹部具備本定規の場合、前記目標線縁部が上部当接部を構成する外縁であってもよい。
こうすることで、目標線縁部が上部当接部として顔面に当接するので、目標線縁部を顔面の眉を描くべき位置に位置させた後に眉書する間に目標線縁部の位置が顔面における正しい位置からずれることを防止又は減少させることができる。
【００１８】
本定規においては、前記一面が顔面に面するよう配置された際、前記顔面に存する鼻を避けるように切り欠きが設けられているものであってもよい。
本定規の前記一面が配置される顔面に存する鼻は大きく突出するものであるため、板状の本定規を前記一面が顔面に面するよう配置する際、該鼻（特に該鼻の頂点及びその近傍部分）と本定規とが当接すると、うまく本定規を顔面に配置できない。これを防止するため、本定規の前記一面が顔面に面するよう配置された際、前記顔面に存する鼻を避けるように切り欠きが本定規に設けられていてもよい。
【００１９】
眉書するのは、通常、左右両方の眉であるので、これら左右両方の眉を本定規を用いて眉書できることが好ましい。
このためには、対象目が右目である右眉用の本定規と、対象目が左目である左眉用の本定規と、が一体となった両眉用定規としてもよい。
【００２０】
前記両眉用定規においては、右眉用の眉書定規が備える下部当接部と、左眉用の眉書定規が備える下部当接部と、が共通の部分として形成されたものであってもよい。
右眉用の眉書定規が備える下部当接部と、左眉用の眉書定規が備える下部当接部と、は、通常、右左を問わず同じ形状でも良いので、両下部当接部を共通部分とすることで前記両眉用定規の小型化や軽量化に資することができる。
【考案を実施するための最良の形態】
【００２１】
本考案の実施の形態を図面を参照して詳述するが、本考案はこれに限定されるものではない。
【００２２】
図１は、一例の本考案の眉書定規（本定規）１１を示す正面図であり、図２は本定規１１の平面図（図１中、矢印Ａ方向から見たところを示す。）であり、図３は本定規１１の左側面図（図１中、矢印Ｂ方向から見たところを示す。）であり、図４は本定規１１の底面図（図１中、矢印Ｃ方向から見たところを示す。）であり、図５は図１のＤ−Ｄ断面図であり、そして図６は図１のＥ−Ｅ断面図である。図１乃至図６を参照して本定規１１について説明する。なお、後述する突条１２ｃａ、突条１２ｄａ、目盛１２ａｓ、突条１４ａ、１４ｂ、突条１６ａ、１６ｂ、突条１７ａ、１７ｂ、１７ｃ、１７ｄは、図１のみに図示し、他の図には図示を省略している。
ここでは本定規１１は、一面１１ａと他面１１ｂとを有する無色透明な樹脂製の板状部材によって一体に形成されている。
【００２３】
本定規１１は、大まかには、右用部分２１と、左用部分５１と、右用部分２１と左用部分５１とを連結するようにこれら両部分２１、５１の間に形成された頬当接部１５と、を備えてなり、仮想上の平面Ｇに関して面対称な形状を略有している。
そして、本定規１１は、線分に略沿った線分縁１２ａと、線分縁１２ａに相対すると共にくびれ１３（図１に示すように右用部分２１のくびれ部分１３ｂと、左用部分５１のくびれ部分１３ａと、を含む。）を有するくびれ縁１２ｂと、線分縁１２ａとくびれ縁１２ｂとの間を連結する一対の曲線縁部１２ｃｔ、１２ｄｔと、によって外縁が形成されている。なお、ここでは曲線縁部１２ｃｔの一部が目標線縁部１２ｃを構成し、曲線縁部１２ｄｔの一部が目標線縁部１２ｄを構成している。
【００２４】
目標線縁部１２ｃ、１２ｄは、いずれも眉を描くべき線である目標線に一致する縁部であり、本定規１１を使用して眉を描く者の顔面に当接した状態で目標線縁部１２ｃ、１２ｄに沿って該顔面に眉墨を塗布することで理想的な眉の形状を描くことができるように形成されている。具体的には、目標線縁部１２ｃは左眉を描くために用いられるものであり、目標線縁部１２ｄは右眉を描くために用いられるものである。なお、目標線縁部１２ｃが左眉用であることを示すために平面Ｇよりも目標線縁部１２ｃ寄りに「Ｌｅｆｔ」（左を示す）なる文字からなる文字標識１８ａが形成されると共に、目標線縁部１２ｄが右眉用であることを示すために平面Ｇよりも目標線縁部１２ｄ寄りに「Ｒｉｇｈｔ」（右を示す）なる文字からなる文字標識１８ｂが形成されている。また、曲線に沿った突条１２ｃａが目標線縁部１２ｃ近傍の他面１１ｂに形成されているが、これは突条１２ｃａと目標線縁部１２ｃとに囲まれた部分１２ｃｒが理想的な眉形状になっており、目標線縁部１２ｃを用いて眉書する際の手本として使用できる。同様に、曲線に沿った突条１２ｄａが目標線縁部１２ｄ近傍の他面１１ｂに形成されているが、これは突条１２ｄａと目標線縁部１２ｄとに囲まれた部分１２ｄｒが理想的な眉形状になっており、目標線縁部１２ｄを用いて眉書する際の手本として使用できるものである。
【００２５】
線分縁１２ａは、目標線縁部１２ｃ、１２ｄいずれかが眉を描く顔面位置に当接した状態において、該顔面に係る者から見て上下方向に向くものであり、線分縁１２ａに沿って仮想上の平面Ｇから約１ｃｍ毎に両側に目盛１２ａｓが付されている。なお、目盛１２ａｓは、本定規１１の使用者が化粧等をする際に寸法の目安等として用いることができる。
【００２６】
くびれ１３を構成するくびれ部分１３ａは、目標線縁部１２ｃが顔面の眉（左眉）を描くべき位置に当接した状態において、該顔面に存する鼻（不図示）が本定規１１に当接することを回避するための逃げとして機能する。
同様に、くびれ１３を構成するくびれ部分１３ｂは、目標線縁部１２ｄが顔面の眉（右眉）を描くべき位置に当接した状態において、該顔面に存する鼻（不図示）が本定規１１に当接することを回避するための逃げとして機能する。
このようにくびれ部分１３ａ、１３ｂいずれも、人の顔面に存する鼻（不図示）の形状に対応する形状とされており、くびれ部分１３ａとくびれ部分１３ｂとは仮想上の平面Ｇに対して面対称の形状に略形成されている。
【００２７】
また、他面１１ｂの目標線縁部１２ｃ近傍には、図１のように正面から見たときに線分縁１２ａに対して略垂直方向に向かって突条１４ａが形成されているが、これは目標線縁部１２ｃが顔面の眉（左眉）を描くべき位置に当接した状態において該顔面に係る者から見て水平（左右）方向に向くものであり、本定規１１を該顔面に配置する際の目印となり得るものである。
同様に、他面１１ｂの目標線縁部１２ｄ近傍には、図１のように正面から見たときに線分縁１２ａに対して略垂直方向に向かって突条１４ｂが形成されているが、これは目標線縁部１２ｄが顔面の眉（右眉）を描くべき位置に当接した状態において該顔面に係る者から見て水平（左右）方向に向くものであり、本定規１１を該顔面に配置する際の目印となり得るものである。
【００２８】
更に、右用部分２１の他面１１ｂには、図１のように正面から見たときに線分縁１２ａに対して所定の角度Ｊをなす直線に沿って突条１６ｂが形成されているが、これは目標線縁部１２ｄが顔面の眉（右眉）を描くべき位置に当接した状態において、図１のように正面から見たとき突条１６ｂが該眉の直下に存する目（右目）の目尻の近傍を通過すると共にその一端１６ｂａが小鼻（右側の小鼻、不図示）を向くように角度Ｊが定められているので、突条１６ｂは本定規１１を該顔面に配置する際の目印となり得るものである（突条１６ｂが、右眉の直下に存する右目の目尻の近傍を通過すると共にその一端１６ｂａが小鼻（右側の小鼻）を向くように本定規１１を該顔面に配置すればよい。）。
同様に、左用部分５１の他面１１ｂには、図１のように正面から見たときに線分縁１２ａに対して所定の角度Ｋ（但し、ここではＫ＝Ｊ）をなす直線に沿って突条１６ａが形成されているが、これは目標線縁部１２ｃが顔面の眉（左眉）を描くべき位置に当接した状態において、図１のように正面から見たとき突条１６ａが該眉の直下に存する目（左目）の目尻の近傍を通過すると共にその一端１６ａａが小鼻（左側の小鼻、不図示）を向くように角度Ｋが定められているので、突条１６ａは本定規１１を該顔面に配置する際の目印となり得るものである（突条１６ａが、左眉の直下に存する左目の目尻の近傍を通過すると共にその一端１６ａａが小鼻（左側の小鼻）を向くように本定規１１を該顔面に配置すればよい。）。
【００２９】
目標線縁部１２ｃは、目標線縁部１２ｃ上の点１２ｃ１、１２ｃ２によって略３等分される（図１参照。図１中に示された３つのＱａはいずれもほぼ同じ）。そして、図１のように正面から見たとき、点１２ｃ１を通過し線分縁１２ａに平行な直線に略沿って突条１７ａが他面１１ｂに形成されている。また、図１のように正面から見たとき、点１２ｃ２を通過し線分縁１２ａに平行な直線に略沿って突条１７ｂが他面１１ｂに形成されている。図１のように正面から見たときには突条１７ａ、１７ｂは互いに略平行になるように形成されている。突条１７ａと目標線縁部１２ｃとの交点１２ｃ１は、目標線縁部１２ｃの中で最も突出している。
同様に、目標線縁部１２ｄは、目標線縁部１２ｄ上の点１２ｄ１、１２ｄ２によって略３等分される（図１参照。図１中に示された３つのＱｂはいずれもほぼ同じ。またここではＱｂ＝Ｑａである。）。そして、図１のように正面から見たとき、点１２ｄ１を通過し線分縁１２ａに平行な直線に略沿って突条１７ｃが他面１１ｂに形成されている。また、図１のように正面から見たとき、点１２ｄ２を通過し線分縁１２ａに平行な直線に略沿って突条１７ｄが他面１１ｂに形成されている。図１のように正面から見たときには突条１７ｃ、１７ｄは互いに略平行になるように形成されている。突条１７ｃと目標線縁部１２ｄとの交点１２ｄ１は、目標線縁部１２ｄの中で最も突出している。
図１のように正面から見たときには、突条１７ａ、１７ｃは互いに同一の直線上に略存すると共に、突条１７ｂ、１７ｄは互いに同一の直線上に略存する。
【００３０】
頬当接部１５は、線分縁１２ａが沿った線分を含む平面に沿って平板状に形成されている。
そして、平面状の頬当接部１５と目標線縁部１２ｃとの間の一面１１ａ側には、凹部１９ａが形成されている。なお、ここでは凹部１９ａは、球面の一部に略沿った形状を有している。
同様に、平面状の頬当接部１５と目標線縁部１２ｄとの間の一面１１ａ側には、凹部１９ｂが形成されている。なお、ここでは凹部１９ｂは、球面の一部に略沿った形状を有している。
【００３１】
次いで、本定規１１を用いた眉書方法を図７を参照して簡単に説明する。図７は、本定規１１を用いて左眉の眉書を行うところを示す正面図（本定規１１については図１と同様に他面１１ｂ側から見ている。）である。
（１）まず、本定規１１の一面１１ａが顔面１０３に面するよう本定規１１を顔面に配置する。
（２）そして、突条１６ａが、左眉の直下に存する目１０５の目尻１０５ｂの近傍を通過すると共に、突条１６ａの一端１６ａａが左側の小鼻１０７を向くように本定規１１と顔面１０３との位置関係を調節する。なお、このとき突条１７ａが目尻１０５ｂ側の白目部分１０５ｃを通過していることによっても、本定規１１と顔面１０３との位置関係が正しく調節できたかどうか確認する。
（３）上記（２）にて本定規１１と顔面１０３との位置関係を正しく調節した後、本定規１１の頬当接部１５（一面１１ａ側）が顔面１０３の頬１０９に当接すると共に、目標線縁部１２ｃが顔面１０３の左眉を描くべき位置１１３に当接するよう、図示しない手で本定規１１を支持すると共に顔面１０３方向に本定規１１を押圧する。これによって本定規１１と顔面１０３との正しい位置関係が保持される。なお、このときくびれ部分１３ａは顔面１０３に存する鼻１０８が本定規１１に当接しないよう逃げになっている。
（４）上記（３）の状態を保ったまま、目標線縁部１２ｃに沿って顔面１０３に眉墨（不図示）を塗布することで理想的な形状の眉を描くことができる。なお、上述のように、突条１２ｃａと目標線縁部１２ｃとに囲まれた部分１２ｃｒが理想的な眉形状になっているので、描く眉の形状と部分１２ｃｒとを比べつつ眉書してもよい。
ここでは本定規１１を用いて左眉の眉書を行うところを説明したが、これと同様に右眉の眉書を行うことができる。
【００３２】
以上説明したように、本定規１１は、一面１１ａが顔面１０３に面するよう配置され、眉を描くべき線である目標線に一致する縁部である目標線縁部１２ｃ、１２ｄを有する板状の眉書定規であって、描くべき眉（例えば、図７においては左眉）の直下に存する目（図７では左目）である対象目１０５よりも下側の顔面部分（ここでは頬１０９）に当接する該一面１１ａに形成された下部当接部（ここでは頬当接部１５）と、目標線縁部１２ｃ、１２ｄと、を備えてなる、眉書定規である。
そして、本定規１１は、対象目１０５を少なくとも覆う透明な目覆い部（頬当接部１５と目標線縁部１２ｃとの間の部分、頬当接部１５と目標線縁部１２ｄとの間の部分）をさらに備えてなる。
【００３３】
本定規１１は、前記一面１１ａが顔面１０３に面するよう配置されて正面から観察する正面観察状態（図７の状態）において、前記顔面１０３の所定位置と前記眉書定規１１との相対的位置関係を調節するための位置標識（ここでは突条１４ａ、１４ｂ、突条１６ａ、１６ｂ、突条１７ａ、１７ｂ、１７ｃ、１７ｄを含む。）を有するものである。
本定規１１においては、前記正面観察状態（図７の状態）において、前記位置標識（突条１７ａ、１７ｂ、１７ｃ、１７ｄ）が、目標線縁部１２ｃ、１２ｄに沿った寸法を略３等分する上下方向に伸びる平行な２の直線である目尻側直線（突条１７ａ、１７ｃが沿った直線）及び目頭側直線（突条１７ｂ、１７ｄが沿った直線）の少なくともいずれかに存する点又は線分を含むものである（ここでは線分に沿った突条１７ａ、１７ｂ、１７ｃ、１７ｄを含む。）。
【００３４】
そして、本定規１１においては、前記正面観察状態（図７の状態）において、目尻側直線（突条１７ａ、１７ｃが沿った直線）が対象目１０５の目尻１０５ｂ側の白目部分１０５ｃを通過するものである。
加えて、使用状態の本定規１１においては、目尻側直線（突条１７ａ、１７ｃが沿った直線）と目標線縁部１２ｃ、１２ｄとの交点１２ｃ１、１２ｄ１が目標線縁部１２ｃ、１２ｄの最高位置に略存するものである。
また、本定規１１においては、前記顔面１０３の所定位置が、対象目１０５の所定位置（突条１６ａ、１６ｂについては目尻）と、前記顔面１０３に存する鼻１０８の所定位置（小鼻）と、の両方を含むものである。
そして、本定規１１においては、前記位置標識たる突条１６ａ、１６ｂが、前記正面観察状態（図７の状態）において対象目１０５の前記所定位置である目尻１０５ｂ近傍を通過すると共に、鼻１０８の前記所定位置である小鼻１０７部分に一端１６ａａ、１６ｂａが向く線分に沿った線状標識である。
【００３５】
本定規１１においては、対象目１０５よりも上側の顔面１０３部分に当接する前記一面１１ａに形成された上部当接部（ここでは目標線縁部１２ｃ、１２ｄ）をさらに備えるものである。
本定規１１においては、下部当接部（ここでは頬当接部１５）と上部当接部（ここでは目標線縁部１２ｃ、１２ｄ）との間の前記一面１１ａが対象目１０５から遠ざかる方向に凹部１９ａ、１９ｂを形成しているものである。
本定規１１においては、前記目標線縁部１２ｃ、１２ｄが上部当接部を構成する外縁である。
また、本定規１１においては、前記一面１１ａが顔面１０３に面するよう配置された際（図７）、前記顔面１０３に存する鼻１０８を避けるように切り欠き（くびれ部分１３ａ、１３ｂ）が設けられているものである。
【００３６】
さらに、本定規１１は、対象目が右目である右眉用の本定規（右用部分２１と頬当接部１５とを含んで構成される）と、対象目が左目である左眉用の本定規（左用部分５１と頬当接部１５とを含んで構成される）と、が一体となった両眉用定規である。
また、本定規１１においては、右眉用の本定規（右用部分２１と頬当接部１５とを含んで構成される）が備える下部当接部（頬当接部１５）と、左眉用の本定規（左用部分５１と頬当接部１５とを含んで構成される）が備える下部当接部（頬当接部１５）と、が共通の部分（いずれも頬当接部１５）として形成されたものである。
【図面の簡単な説明】
【００３７】
【図１】一例の本考案の眉書定規（本定規）を示す正面図である。
【図２】本定規の平面図である。
【図３】本定規の左側面図である。
【図４】本定規の底面図である。
【図５】図１のＤ−Ｄ断面図である。
【図６】図１のＥ−Ｅ断面図である。
【図７】本定規を用いて眉書する方法を説明する図である。
【符号の説明】
【００３８】
１１                本定規
１１ａ              一面
１１ｂ              他面
１２ａ              線分縁
１２ａｓ            目盛
１２ｂ              くびれ縁
１２ｃ、１２ｄ      目標線縁部
１２ｃ１、１２ｃ２、１２ｄ１、１２ｄ２  点
１２ｃａ、１２ｄａ  突条
１２ｃｒ、１２ｄｒ  部分
１２ｃｔ、１２ｄｔ  曲線縁部
１３                くびれ
１３ａ、１３ｂ      くびれ部分
１４ａ、１４ｂ      突条
１５                頬当接部
１６ａ、１６ｂ      突条
１６ａａ、１６ｂａ  一端
１７ａ、１７ｂ、１７ｃ、１７ｄ  突条
１８ａ、１８ｂ      文字標識
１９ａ、１９ｂ      凹部
２１                右用部分
５１                左用部分
１０３                顔面
１０５                目
１０５ｂ              目尻
１０５ｃ              白目部分
１０７                小鼻
１０８                鼻
１０９                頬
１１３                左眉を描くべき位置
【図１】
0003148067.tif 000003
【図２】
0003148067.tif 000004
【図３】
0003148067.tif 000005
【図４】
0003148067.tif 000006
【図５】
0003148067.tif 000007
【図６】
0003148067.tif 000008
【図７】
0003148067.tif 000009